(57)【要約】【課題】放送波の電界強度、Ｃ／Ｎより、ブースタの飽和推定値を表示し、受信障害を回避することを目的とする。【解決手段】フロントエンド部のＲＦ−ＡＧＣから得られる電界強度情報と復調後のＣ／Ｎより、ブースタの飽和状態を推定し、画面上に表示することにより、容易に受信障害の原因を推定し、回避可能な受信装置及びブースタ装置を実現する。【選択図】  図１
2004266711.tif 000002
【特許請求の範囲】
【請求項１】
受信する放送波の電界強度を、フロントエンド部のＲＦ−ＡＧＣのゲインリダクション情報を演算することにより表示する手段と、前記放送波の受信Ｃ／Ｎを表示する手段とを備えた受信装置において、前記電界強度と受信Ｃ／Ｎより、前記受信装置の前段に載置されたブースタ装置の飽和を推定し表示する機能を具備する受信装置。
【請求項２】
請求項１に記載の受信装置において、フロントエンド部を複数搭載し、ブースタ装置の飽和の推定に使用されるフロントエンド部以外のフロントエンド部を使用し、復調後の画像を小画面として同時に表示する機能を具備する受信装置。
【請求項３】
請求項１に記載の受信装置において、デジタル放送用フロントエンド部をブースタ装置の飽和の推定に使用し、アナログ放送用フロントエンドの復調後の画像を小画面として同時に表示する機能を具備する受信装置。
【請求項４】
請求項１に記載の受信装置のブースタ装置の飽和推定値を、電気信号に変換し、ブースタ装置に伝送する機能を有する受信装置と、当該受信装置に接続し、伝送された電気信号をブースタ装置飽和推定値に変換し、表示する機能を有するブースタ装置。
【発明の詳細な説明】
【０００１】
【発明の属する技術分野】
本発明はＢＳ、地上波等の放送を受信するＴＶ、ＳＴＢ（セット・トップ・ボックス）などの受信装置（国際特許分類  Ｈ０４Ｂ  １／１６，１／１８）及びブースタ装置（国際特許分類Ｈ０３Ｇ  ３／３０）に関するものである
【０００２】
【従来の技術】
近年、放送のデジタル化が世界的規模で急速に浸透しつつあり、日本国内でも２０００年にＢＳデジタルが開始され、２００３年には地上波デジタル放送が開始される予定である。
【０００３】
以下に従来の受信装置及びブースタ装置について図６及び図７を用いて説明する。
【０００４】
図６は、従来の受信装置及びブースタ装置のブロック図、図７は受信装置の受信状態モニタ画面を示す図である。図６及び図７において、１は受信アンテナ、２はブースタ装置、３は受信機本体、４はフロントエンド部、５はＲＦ−ＡＧＣ回路、６は選局回路、７は復調回路、８はバックエンド、９は表示処理回路、１０は受信状態モニタ画面、１１は受信Ｃ／Ｎレベル表示である。
【０００５】
以上のように構成された従来の受信装置及びブースタの動作について以下に説明する。受信アンテナ１で受信された放送波は、ブースタ装置２で増幅され、受信機本体３のフロントエンド部４へと導かれ、選局回路６により周波数変換された後、復調回路７にてデジタル放送の場合ＴＳ（トランスポート・ストリーム）が出力される。出力されたＴＳはバックエンド８にて映像、音声にデコードされ、表示処理回路９により、ＴＶ映像、音声として出力される。復調回路７では、フロントエンド部４に入力される放送波の電界強度が大きい場合、その大きさに対応したゲインリダクション情報を生成し、その情報をもとにＲＦ−ＡＧＣ回路５をフィードバック制御することにより、受信性能を安定化している。また、復調回路７で、放送波の受信Ｃ／Ｎレベルを検出し、検出された受信Ｃ／Ｎレベル情報は、バックエンド８にて演算後、表示処理回路９を介して、図７の受信状態モニタ画面１０に受信Ｃ／Ｎレベル表示として出力される（例えば、特許文献１参照。）。
【０００６】
【特許文献１】
特開２００１−３５９００８号公報
【０００７】
【発明が解決しようとする課題】
しかしながら上記の従来の構成では、受信アンテナ１で受信された放送波の電界強度がブースタ装置２の許容範囲を超えた場合、あるいはブースタ装置２の利得設定が不適切で飽和した場合に、受信状態モニタ画面１０では受信Ｃ／Ｎレベル表示１１の情報しか得られず、受信障害が発生した場合に原因を特定することが非常に困難であるという問題点を有していた。
【０００８】
本発明は上記従来の問題点を解決し、受信Ｃ／Ｎレベルに加え、電界強度レベル及びブースタ装置の飽和による受信状態の劣化をモニタし、受信障害発生を回避することが可能な受信装置及びブースタ装置を提供することを目的とする。
【０００９】
【課題を解決するための手段】
これらの目的を達成するために本発明の受信装置は、受信Ｃ／Ｎを表示すると同時に、放送波の電界強度を、フロントエンド部のＲＦ−ＡＧＣのゲインリダクション情報を演算することにより表示するとともに、電界強度と受信Ｃ／Ｎより、受信装置の前段に載置されたブースタ装置の飽和を推定し表示する機能を具備することを特徴とする。また、本発明のブースタ装置では、上記受信装置から伝送されたブースタ装置の飽和推定値を表示することを特徴とする。
【００１０】
本発明によれば、受信Ｃ／ＮとＲＦ−ＡＧＣのゲインリダクション情報から得られる電界強度より、ブースタ装置の飽和を容易に推定し同一画面に表示することにより、受信障害を容易に回避可能な受信装置及びブースタ装置を実現することができる。
【００１１】
【発明の実施の形態】
本発明の請求項１に記載の発明は、受信する放送波の電界強度を、フロントエンド部のＲＦ−ＡＧＣのゲインリダクション情報を演算することにより表示する手段と、前記放送波の受信Ｃ／Ｎを表示する手段とを備えた受信装置において、前記電界強度と受信Ｃ／Ｎより、前記受信装置の前段に載置されたブースタ装置の飽和を推定し表示する機能を具備する受信装置であり、受信Ｃ／ＮとＲＦ−ＡＧＣのゲインリダクション情報から得られる電界強度より、ブースタ装置の飽和を容易に推定し同一画面に表示することにより、受信障害を容易に回避可能であるという作用を有する。
【００１２】
本発明の請求項２に記載の発明は、請求項１に記載の受信装置において、フロントエンド部を複数搭載し、ブースタ装置の飽和の推定に使用されるフロントエンド部以外のフロントエンド部を使用し、復調後の画像を小画面として同時に表示する機能を具備する受信装置装置であり、受信Ｃ／ＮとＲＦ−ＡＧＣのゲインリダクション情報から得られる電界強度より、ブースタ装置の飽和を推定し表示すると共に、小画面で復調後の画像を同時に表示することによって、受信障害を容易に回避可能であるという作用を有する。
【００１３】
本発明の請求項３に記載の発明は、請求項１に記載の受信装置において、デジタル放送用フロントエンド部をブースタ装置の飽和の推定に使用し、アナログ放送用フロントエンドの復調後の画像を小画面として同時に表示する機能を具備する受信装置であり、受信Ｃ／ＮとＲＦ−ＡＧＣのゲインリダクション情報から得られる電界強度より、ブースタ装置の飽和を推定し表示すると共に、小画面でアナログ放送復調後の画像を同時に表示することによって、受信障害を容易に回避可能であるという作用を有する。
【００１４】
本発明の請求項４に記載の発明は、請求項１に記載の受信装置のブースタ装置の飽和推定値を、電気信号に変換し、ブースタ装置に伝送する機能を有する受信装置と、当該受信装置に接続し、伝送された電気信号をブースタ装置飽和推定値に変換し、表示する機能を有するブースタ装置であり、ブースタ装置に飽和状態表示機能があるため、受信障害を容易に回避することが可能であるという作用を有する。
【００１５】
以下、本発明の実施の形態について、図１から図５を参照しながら説明する。
【００１６】
（実施の形態１）
図１は本発明の実施の形態１における受信装置の構成を示すブロック図、図２は本発明の実施の形態１における受信装置の受信状態モニタ画面を示す図である。
【００１７】
図１、図２において、１は受信アンテナ、２はブースタ装置、３は受信装置本体、４はフロントエンド部、５はＲＦ−ＡＧＣ回路、６は選局回路、７は復調回路、８はバックエンド、９は表示処理回路、１０は受信状態モニタ画面、１１は電界強度レベル表示、１２は受信Ｃ／Ｎレベル表示、１３はブースタ飽和モニタ表示である。
【００１８】
以上のように構成される端末装置の動作について、以下、説明する。受信アンテナ１で受信された放送波は、ブースタ装置２で増幅され、受信機本体３のフロントエンド部４へと導かれ、選局回路６により周波数変換された後、復調回路７にてデジタル放送の場合ＴＳ（トランスポート・ストリーム）が出力される。出力されたＴＳはバックエンド８にて映像、音声にデコードされ、表示処理回路９により、ＴＶ映像、音声として出力される。復調回路７では、フロントエンド部４に入力される放送波の電界強度が大きい場合、その大きさに対応したゲインリダクション情報を生成し、その情報をもとにＲＦ−ＡＧＣ回路５をフィードバック制御することにより、受信性能を安定化すると同時に、生成されたゲインリダクション情報より、バックエンド８にて演算後、電界強度レベルを生成する。また、復調回路７で、放送波の受信Ｃ／Ｎレベルを検出し、検出された受信Ｃ／Ｎレベル情報は、バックエンド８にて演算後、上記の電界強度レベルと共に、表示処理回路９を介して、図２の受信状態モニタ画面１０に電界強度レベル表示１１及び受信Ｃ／Ｎレベル表示１２として出力される。
【００１９】
さらに、装置劣化が無い、即ちブースタが飽和していない、と仮定した場合の電界強度レベルｘ（ｄＢ）と、受信Ｃ／ＮレベルＹ（ｄＢ）が数式Ｙ＝ｆ（ｘ）で定義される場合、バックエンド８にて演算して得られた電界強度レベル（ｘ１とする）より、装置劣化が無いと仮定した場合の受信Ｃ／Ｎレベルｆ（ｘ１）を算出し、復調回路７で得られた実際の受信Ｃ／Ｎレベル（Ｙ１とする）と比較を行い、その差について予め定められた数式Ｚ＝ａ（ｆ（ｘ１）−Ｙ１）により補正を行う。こうすることによりＺをブースタの飽和の度合いを示す推定値とすることができる。Ｚは表示回路９を介して、ブースタ飽和モニタ表示１３として受信状態モニタ画面１０に出力される。
【００２０】
また、ブースタ飽和の度合いが著しく大きいときには、表示する文字あるいはバー表示等の色を定常時とは変化させることにより、受信障害発生を促す機能を有している。
【００２１】
なお、本実施の形態では、受信状態モニタ画面１０として、電界強度、Ｃ／Ｎ、ブースタ飽和モニタの３つの項目をバーレベルにて表示しているが、電界強度はＲＦ−ＡＧＣ、Ｃ／ＮはＢＥＲ（ビットエラーレート）等の他の用語とし、バーレベルを数値で表示しても同等の効果が得られることは言うまでもない。
【００２２】
（実施の形態２）
図３は本発明の実施の形態２における受信装置の構成を示すブロック図、図４は本発明の実施の形態２における受信装置の受信状態モニタ画面を示す図である。
【００２３】
図３、図４において、１は受信アンテナ、２はブースタ装置、３は受信装置本体、４及び１５はフロントエンド部、５及び１６はＲＦ−ＡＧＣ回路、６及び１７は選局回路、７及び１８は復調回路、８はバックエンド、９は表示処理回路、１０は受信状態モニタ画面、１１は電界強度レベル表示、１２は受信Ｃ／Ｎレベル表示、１３はブースタ飽和モニタ表示、１４はモニタ画像である。実施の形態２は図１に示す実施の形態１において、図３に示すようにフロントエンド部１５、ＲＦ−ＡＧＣ回路１６、選局回路１７、及び復調回路１８を追加し、復調回路１８で復調した信号を図４のモニタ画像１４として受信状態モニタ画面１０に小画面表示を可能とするものであり、基本的な原理、動作は実施の形態１と同内容のため詳細は省略する。
【００２４】
（実施の形態３）
実施の形態３は図３に示す実施の形態２において、フロントエンド部１５にアナログ放送用のフロントエンドを使用したものであり、基本的な原理、動作は実施の形態２と同内容のため詳細は省略する。
【００２５】
（実施の形態４）
図５は本発明の実施の形態４における受信装置及びブースタ装置の構成を示すブロック図を示すものである。図５と実施の形態１との差異は、受信機本体３のバックエンド８にて得られたブースタ飽和モニタ情報を、レベル変換回路１９にて電気信号に変換し、ブースタ装置２に載置された表示回路２０に伝送する点であり、ブースタ装置２の利得調整時にブースタ飽和レベルを確認することができる。その他の基本的な原理、動作は実施の形態１と同内容のため、詳細は省略する。
【００２６】
なお、本実施の形態では、レベル変換回路１９及び表示回路２０には、放送波の周波数とブースタ飽和モニタの電気信号を重畳、分離する機能がそれぞれ含まれており、受信機本体３とブースタ装置２との接続は１本の同軸線路のみとなっているが、同軸線路とは別の信号線でレベル変換回路１９と表示回路２０とを接続しても同様の効果が得られる。また、表示回路２０の表示方法としては、複数のＬＥＤによるバー表示、単一のＬＥＤの輝度を変化させるなど、様々な方式が適用可能である。
【００２７】
【発明の効果】
以上のように本発明は、受信する放送波の電界強度を、フロントエンド部のＲＦ−ＡＧＣのゲインリダクション情報を演算することにより表示する手段と、前記放送波の受信Ｃ／Ｎを表示する手段とを備え、前記電界強度と受信Ｃ／Ｎより、前段に載置されたブースタ装置の飽和を推定し表示する機能を具備することにより、ブースタ装置の飽和を容易に推定し同一画面に表示することにより、受信障害を容易に回避可能な受信装置及びブースタ装置を実現するものである。
【図面の簡単な説明】
【図１】本発明の実施の形態１における受信装置の構成を示すブロック図
【図２】本発明の実施の形態１における受信装置の受信状態モニタ画面を示す図
【図３】本発明の実施の形態２における受信装置の構成を示すブロック図
【図４】本発明の実施の形態２における受信装置の受信状態モニタ画面を示す図
【図５】本発明の実施の形態４における受信装置及びブースタ装置の構成を示すブロック図
【図６】従来の受信装置及びブースタ装置の構成を示すブロック図
【図７】従来の受信装置の受信状態モニタ画面を示す図
【符号の説明】
１  受信アンテナ
２  ブースタ装置
３  受信装置本体
４  フロントエンド部
５  ＲＦ−ＡＧＣ回路
６  選局回路
７  復調回路
８  バックエンド
９  表示処理回路
１０  受信状態モニタ表示
１１  電界強度レベル表示
１２  受信Ｃ／Ｎレベル表示
１３  ブースタ飽和モニタ表示
１４  画像モニタ表示
１５  フロントエンド部
１６  ＲＦ−ＡＧＣ回路
１７  選局回路
１８  復調回路
１９  レベル変換回路
２０  表示回路
【図１】
2004266711.tif 000003
【図２】
2004266711.tif 000004
【図３】
2004266711.tif 000005
【図４】
2004266711.tif 000006
【図５】
2004266711.tif 000007
【図６】
2004266711.tif 000008
【図７】
2004266711.tif 000009